(57)【要約】【課題】逆流してきた温水および混合水を確実に外部に排水する給湯システムを提供する。【解決手段】給湯システム１００は、上水と温水とを混合して所望の温度の混合水を供給するものであり、例えば温水貯水部１０と、温水供給管１１と、上水道２０と、上水供給管２１と、給湯器３０とを備える。給湯器３０は、温水管路３１と、上水管路３２と、混合部３３と、逆流水排水部３４と、混合水供給管３９とを少なくとも備える。温水管路３１および上水管路３２は、それぞれ温水供給管１１および上水供給管２１と接続されている。温水および上水は、それぞれ温水管路３１および上水管路３２を通り、混合部３３で混合され混合水が生成される。混合部３３から温水または混合水が上水管路３２に逆流してきても逆流水排水部３４は、その逆流してきた温水または混合水を排水部３４１において外部に確実に排水する。【選択図】      図１
2010025379.tif 000002
【特許請求の範囲】
【請求項１】
上水道からの上水を供給する上水供給管と、
温水を貯水する温水貯水手段と、
前記温水貯水手段に貯水された温水を供給する温水供給管と、
前記上水供給管から供給された上水と、前記温水供給管から供給された温水とを混合して所望の温度の混合水を生成して供給する給湯器と
を備え、
前記給湯器は、前記温水供給管から供給された温水または前記混合水が前記上水供給管に向かって逆流した場合に前記逆流した温水または前記混合水を外部に排水する逆流水排水手段を具備することを特徴とする給湯システム。
【請求項２】
上水道から供給された上水の通路である上水管路と、
温水を貯水する温水貯水手段から供給された温水の通路である温水管路と、
前記上水管路および温水管路と接続され、前記上水と温水とを混合して所望の温度の混合水を生成し下流へ供給する混合手段と、
前記上水管路側に設けられ、かつ前記上水管路へ前記温水または混合水が逆流した際に前記逆流した前記温水または混合水を外部に排水する逆流水排水手段と
を備えたことを特徴とする給湯器。
【請求項３】
前記逆流水排水手段は、
排水口を有し、前記上水道からの給水圧力の大きさおよび前記上水管路内の圧力の大きさに応じて前記排水口を開閉する排水手段と、
前記上水管路における上水の入り口付近の所定の領域である入り口付近領域における圧力を前記上水道からの給水圧力として前記排水手段に与える給水圧力供与手段と、
前記入り口付近領域よりも下流に位置する前記上水管路内の所定の領域における圧力を前記上水管路内の圧力として前記排水手段に与える上水管路内圧力供与手段と
を具備することを特徴とする請求項２記載の給湯器。
【請求項４】
前記排水手段は、前記給水圧力の大きさが所定圧力の大きさ以下の場合、前記排水口を開き、前記給水圧力の大きさが前記所定圧力の大きさ以上の場合、前記給水圧力の大きさが前記上水管路内の圧力の大きさよりも大きい時には前記排水口を閉じ、前記給水圧力の大きさが前記上水管路内の圧力の大きさよりも小さい時には前記排水口を開くことを特徴とする請求項３記載の給湯器。
【請求項５】
前記給水圧力供与手段は、
前記上水管路における上水の入り口付近に設けられた前記上水管路の下流から上流への逆流を阻止する第１の逆止弁と、
前記第１の逆止弁よりも下流側の前記上水管路に設けられた前記上水管路の下流から上流への逆流を阻止する第２の逆止弁と、
前記第１の逆止弁と第２の逆止弁との間における前記上水管路と前記排水手段とを接続する第１の接続管と
を具備し、
前記第１の逆止弁と第２の逆止弁との間における前記上水管路内の圧力が前記上水道からの給水圧力として前記第１の接続管を通じて前記排水手段に与えられることを特徴とする請求項３記載の給湯器。
【請求項６】
前記上水管路内圧力供与手段は、
前記第２の逆止弁と、
前記第２の逆止弁よりも下流側の前記上水管路に設けられた前記上水管路の下流から上流への逆流を阻止する第３の逆止弁と、
前記第２の逆止弁と第３の逆止弁との間における前記上水管路と前記排水手段とを接続する第２の接続管と
を具備し、
前記第２の逆止弁と第３の逆止弁との間における前記上水管路内の圧力が前記上水管路内の圧力として前記第２の接続管を通じて前記排水手段に与えられることを特徴とする請求項５記載の給湯器。
【請求項７】
前記第１の逆止弁と第２の逆止弁との間における前記上水管路に減圧弁をさらに設けたことを特徴とする請求項５および請求項６記載の給湯器。
【請求項８】
前記温水貯水手段は、前記上水道と接続され、前記上水道とは縁切りされていることを特徴とする請求項２乃至請求項７記載の給湯器。
【発明の詳細な説明】
【技術分野】
【０００１】
本発明は、上水と温水とを混合して所望の温度の混合水を供給する給湯器、および給湯システムに関し、特に、上水の供給元である上水道に温水や混合水を逆流させない給湯器、および給湯システムに関する。
【背景技術】
【０００２】
従来、省エネの観点から、タンクに貯めた上水を太陽熱加熱して温水を生成する太陽熱温水器を利用した給湯システムがあった。その中でも上水道から縁切りされている自然循環式太陽熱温水器と給湯器とを連結する給湯システムにおいては、水道法上禁止されている上水道とのクロスコネクションに対する対策が必要であった。
【０００３】
その対策として、給湯器における給水接続口に上記自然循環式太陽熱温水器からの給水管のみを接続させる方式が考え出された。しかしながら、その方式では、上記自然循環式太陽熱温水器から給水管を通じて高温の温水が給湯器に給水された場合、冷水との混合手段が給湯器にないため、給湯器から供給される温水の温度制御ができなかった。このため、上記給湯システムでは、低温の温水を供給することや、風呂の浴槽に自動で所望の温度の温水を供給することができなかった。
【０００４】
以上のような問題点を解決するものとして、以下に示す風呂給湯システムが提案されている。その風呂給湯システムは、太陽熱温水器、上水道と、風呂給湯器と、上水道と風呂給湯器とを接続する給水管と、浴槽と、浴槽と風呂給湯器とを接続する循環パイプと、太陽熱温水器の温水を出湯し、上記循環パイプと接続された出湯管と、太陽熱温水器から出湯された温水の情報を検出・制御する温水太陽熱温水器対応ボックスとを備えている（例えば、特許文献１参照。）。
【０００５】
この風呂給湯システムによれば、温水太陽熱温水器対応ボックスにおいて検出された太陽熱温水器からの温水の温度と、風呂給湯器内において検出された上水道からの上水の温度と、風呂給湯器内の制御部に対して設定した設定温度および設定湯量とに基づいて、風呂給湯器内の制御部において演算処理が行われ、その結果に応じた量の温水および上水が上記循環パイプを通じて浴槽に供給される。そして、下流から上流への逆流を遮断する機能を有する逆止弁付バキュームブレーカを風呂給湯器内部に設けることにより、上水道に太陽熱温水器における温水が逆流することを防止している。
【特許文献１】特開平１０−２０５８９３号公報（図１および図２）
【発明の開示】
【発明が解決しようとする課題】
【０００６】
しかしながら、上述の風呂給湯システムでは、逆止弁付バキュームブレーカのみで上水道に太陽熱温水器における温水が逆流することを防止しているため、逆止弁付バキュームブレーカに何らかの不具合があった場合、太陽熱温水器における温水が上水道に向かって逆流してしまう可能性がある。太陽熱温水器における温水が上水道に向かって逆流してしまうと、上水道を汚染してしまう。
【０００７】
そこで、本発明は、逆流してきた温水および混合水を確実に外部に排水する給湯器および給湯システムを提供することを目的とする。
【課題を解決するための手段】
【０００８】
本発明は、上記課題を解決するためになされたものであり、本発明の給湯システムは、上水道からの上水を供給する上水供給管と、温水を貯水する温水貯水手段と、上記温水貯水手段に貯水された温水を供給する温水供給管と、上記上水供給管から供給された上水と、上記温水供給管から供給された温水とを混合して所望の温度の混合水を生成して供給する給湯器とを備え、上記給湯器は、上記温水供給管から供給された温水または上記混合水が上記上水供給管に向かって逆流した場合に上記逆流した温水または上記混合水を外部に排水する逆流水排水手段を具備することを特徴とするものである。これにより、逆流してきた温水および混合水を確実に外部に排水させるという作用をもたらす。
【０００９】
また、本発明の給湯器は、上水道から供給された上水の通路である上水管路と、温水を貯水する温水貯水手段から供給された温水の通路である温水管路と、上記上水管路および温水管路と接続され、上記上水と温水とを混合して所望の温度の混合水を生成し下流へ供給する混合手段と、上記上水管路側に設けられ、かつ上記上水管路へ上記温水または混合水が逆流した際に上記逆流した上記温水または混合水を外部に排水する逆流水排水手段とを備えたことを特徴とするものである。これにより、逆流してきた温水および混合水を確実に外部に排水させるという作用をもたらす。
【００１０】
また、本発明の給湯器において、上記逆流水排水手段は、排水口を有し、上記上水道からの給水圧力の大きさおよび上記上水管路内の圧力の大きさに応じて上記排水口を開閉する排水手段と、上記上水管路における上水の入り口付近の所定の領域である入り口付近領域における圧力を上記上水道からの給水圧力として上記排水手段に与える給水圧力供与手段と、上記入り口付近領域よりも下流に位置する上記上水管路内の所定の領域における圧力を上記上水管路内の圧力として上記排水手段に与える上水管路内圧力供与手段とを具備することを特徴とする。これにより、上水道からの給水圧力の大きさおよび上記上水管路内の圧力の大きさに応じて排水口を開閉させるという作用をもたらす。
【００１１】
また、本発明の給湯器において、上記排水手段は、上記給水圧力の大きさが所定圧力の大きさ以下の場合、上記排水口を開き、上記給水圧力の大きさが上記所定圧力の大きさ以上の場合、上記給水圧力の大きさが上記上水管路内の圧力の大きさよりも大きい時には上記排水口を閉じ、上記給水圧力の大きさが上記上水管路内の圧力の大きさよりも小さい時には上記排水口を開くことを特徴とする。これにより、給水圧力の大きさに応じて、上水道からの給水圧力の大きさが上水管路内の圧力の大きさよりも大きい時には排水口を閉じさせ、給水圧力の大きさが上水管路内の圧力の大きさよりも小さい時には排水口を開かせるという作用をもたらす。
【００１２】
また、本発明の給湯器において、上記給水圧力供与手段は、上記上水管路における上水の入り口付近に設けられた上記上水管路の下流から上流への逆流を阻止する第１の逆止弁と、上記第１の逆止弁よりも下流側の上記上水管路に設けられた上記上水管路の下流から上流への逆流を阻止する第２の逆止弁と、上記第１の逆止弁と第２の逆止弁との間における上記上水管路と上記排水手段とを接続する第１の接続管とを具備し、上記第１の逆止弁と第２の逆止弁との間における上記上水管路内の圧力が上記上水道からの給水圧力として上記第１の接続管を通じて上記排水手段に与えられることを特徴とする。これにより、第１の逆止弁と第２の逆止弁との間の上水管路内の圧力を排水手段に給水圧力として与えるという作用をもたらす。また、第１の逆止弁と第２の逆止弁により上水管路における逆流防止機能を強固なものとすることができる。
【００１３】
また、本発明の給湯器において、上記上水管路内圧力供与手段は、上記第２の逆止弁と、上記第２の逆止弁よりも下流側の上記上水管路に設けられた上記上水管路の下流から上流への逆流を阻止する第３の逆止弁と、上記第２の逆止弁と第３の逆止弁との間における上記上水管路と上記排水手段とを接続する第２の接続管とを具備し、上記第２の逆止弁と第３の逆止弁との間における上記上水管路内の圧力が上記上水管路内の圧力として上記第２の接続管を通じて上記排水手段に与えられることを特徴とする。これにより、第２の逆止弁と第３の逆止弁との間の上水管路内の圧力を排水手段に上水管路内の圧力として与えるという作用をもたらす。また、第２の逆止弁と第３の逆止弁により上水管路における逆流防止機能を強固なものとすることができる。
【００１４】
また、本発明の給湯器において、上記第１の逆止弁と第２の逆止弁との間における上記上水管路に減圧弁をさらに設けたことを特徴とする。これにより、給水圧力と上水管路内の圧力とに圧力差をもたらさせるという作用をもたらす。
【００１５】
また、本発明の給湯器に供給される温水を貯水した上記温水貯水手段は、上記上水道と接続され、上記上水道とは縁切りされていることを特徴とする。上記温水貯水手段を上記給湯器と接続しても、水道法上の問題は生じさせないという作用をもたらす。
【発明の効果】
【００１６】
本発明によれば、逆流してきた温水および混合水を確実に外部に排水することができるという優れた効果を奏し得る。
【発明を実施するための最良の形態】
【００１７】
次に本発明の実施の形態について図面を参照して詳細に説明する。
【００１８】
図１は、本発明の実施の形態における給湯システム１００を示す図である。給湯システム１００は、上水と温水とを混合して所望の温度の混合水を供給するものであり、例えば温水貯水部１０と、温水供給管１１と、上水道２０と、上水供給管２１と、給湯器３０とを備える。なお、本発明において混合水とは、上水と温水とを混合した結果生成される水をいうものである。
【００１９】
温水貯水部１０は、温水を貯水するものである。温水貯水部１０として、例えば上水道２０より上水供給管２４を通じて供給され、タンク内に貯水された上水を太陽熱により温水にする太陽熱温水器が想定されるが、これに限るものではない。すなわち、温水貯水部１０は、太陽熱のみならずそれ以外のもので上水を含む水を加熱することにより温水を生成する機能を有するものも含む。温水貯水部１０に貯水された温水は、温水貯水部１０の底部に接続された温水供給管１１を通って給湯器３０に供給される。また、上水道２０における上水は、上水供給管２１を通って給湯器３０に供給される。また、上水道２０における上水は、分岐給水バルブ２２ａ乃至２２ｄを開くことにより、上水供給管２３を通じて他に供給することも可能である。分岐給水バルブ２２ａ乃至２２ｄとして、例えば屋外の水道における給水バルブ、屋内のシャワーの給水バルブ、洗面所や台所の給水バルブ等が想定されるが、これに限るものではない。
【００２０】
給湯器３０は、上水と温水とを混合して所望の温度の混合水を外部に供給するものであり、例えば、温水管路３１と、上水管路３２と、混合部３３と、逆流水排水部３４と、混合水管路３５ａおよび３５ｂと、熱交換器３６と、加熱水管路３７と、混合部３８と、混合水供給管３９とを備える。
【００２１】
温水管路３１は、温水供給管１１を通じて温水貯水部１０から供給された温水の通路であり、その一端は温水供給管１１に接続されている。また、温水管路３１は、その他端において混合部３３に接続されており、温水管路３１を通る温水は混合部３３に供給される。
【００２２】
上水管路３２は、上水供給管２１を通じて上水道２０から供給された上水の通路であり、その一端は上水供給管２１に接続されている。また、上水管路３２は、その他端において混合部３３に接続されており、上水管路３２を通る上水は混合部３３に供給される。
【００２３】
混合部３３は、温水管路３１から供給された温水と、上水管路３２から供給された上水とを混合して所望の温度の混合水を生成し、その混合水を混合水管路３５ａおよび３５ｂを通じてさらに下流に供給するものである。混合部３３は、例えば（図示しない）温度センサーと（図示しない）ミキシングバルブとで構成することが想定されるが、これに限るものではない。
【００２４】
混合部３３を温度センサーとミキシングバルブとで構成した場合、例えば温度センサーにより検出された上水の温度および温水の温度、並びに予め設定された設定温度に基づいて、ミキシングバルブが上水と温水とを適切な割合で混合することにより予め設定された設定温度の混合水が生成される。そして、その混合水は、混合水管路３５ａおよび３５ｂを通じてさらに下流に供給される。
【００２５】
逆流水排水部３４は、上水管路３２へ温水または混合水が逆流した際にその逆流した温水または混合水を外部に排水するものであり、例えば排水部３４１と、給水圧力供与部３４２と、上水管路内圧力供与部３４３とを備える。
【００２６】
排水部３４１は、（図示しない）排水口を有しており、上水道２０からの給水圧力の大きさと、上水管路３２内の圧力の大きさに応じて排水口を開閉して温水または混合水を排水口から排水するものである。排水部３４１の構造の一例は、図２において説明することとする。
【００２７】
給水圧力供与部３４２は、上水管路３２における上水の入り口付近の所定の領域である入り口付近領域Ａにおける圧力Ｐ１を上水道２０からの給水圧力として排水部３４１に与えるものである。給水圧力供与部３４２は、上水管路３２ａにより排水部３４１と接続されており、上水管路３２ａを通じて排水部３４１に圧力Ｐ１を与える。分岐給水バルブ２２ａ乃至２２ｄのいずれかを開くことによって、給湯器３０に対する上水道２０からの給水圧が急激に低下しても、給水圧力供与部３４２を設けることにより排水部３４１に与える給水圧力に与える影響を低減するができる。
【００２８】
上水管路内圧力供与部３４３は、入り口付近領域Ａよりも下流に位置する上水管路３２内の所定の領域Ｂにおける圧力Ｐ２を上水管路３２内の圧力として排水部３４１に与えるものである。上水管路内圧力供与部３４３は、上水管路３２ｂにより排水部３４１と接続されており、上水管路３２ｂを通じて排水部３４１に圧力Ｐ２を与える。
【００２９】
したがって、排水部３４１は、入り口付近領域Ａにおける圧力Ｐ１の大きさと所定の領域Ｂにおける圧力Ｐ２の大きさに応じて排水口を開閉することになる。排水部３４１における排水口の開閉の態様として、例えば、圧力Ｐ１の大きさが所定圧力Ｐ´の大きさよりも小さい場合（Ｐ´＞Ｐ１）、排水口を開き、圧力Ｐ１の大きさが所定圧力Ｐ´の大きさよりも大きい場合（Ｐ´≦Ｐ１）、圧力Ｐ１の大きさが圧力Ｐ２の大きさ以上の大きさの時（Ｐ１≧Ｐ２）は排水口を閉じ、圧力Ｐ１の大きさが圧力Ｐ２の大きさ以下の大きさの時（Ｐ１＜Ｐ２）は排水口を開くような態様が想定されるが、これに限るものではない。
【００３０】
上記のように逆流水排水部３４を構成すれば、温水または混合水が混合部３３から上水管路３２の上流に向かって逆流してきて、Ｐ１＜Ｐ２となった場合でもその逆流してきた温水または混合水は排水部３４１において排水されるため、温水または混合水が上水道２０にまで逆流することはない。
【００３１】
特に、温水貯水部１０に貯水された温水が水道法上汚水とされる態様で貯水されている場合において、給湯器３０のように温水の供給を受ける接続口および上水道２０から上水の供給を受ける接続口を給湯器に設けた場合、温水が上水側に逆流して、その温水が上水道２０に流れ込んでしまう可能性がある。温水の供給を受ける接続口および上水道２０から上水の供給を受ける接続口が設けられた給湯器を上記説明した給湯器３０のように構成すれば、上水側へ逆流してきた温水等を確実に排水することができるため、水道法上の問題を生じさせることはない。
【００３２】
熱交換器３６は、混合水管路３５ｂを通じて供給された混合水を加熱して所定温度の混合水を生成するものである。熱交換器３６で加熱された混合水は、加熱水管路３７を通じて混合部３８に供給される。
【００３３】
混合部３８は、上記説明した混合部３３と同様の機能を有するものである。すなわち、混合水管路３５ａから供給された混合水と、加熱水管路３７から供給された混合水とを混合して所望の温度の混合水を生成し、混合水供給管３９を通じて分岐給水バルブ２２ａ乃至２２ｄにその混合水を供給するものである。混合部３８は、混合部３３と同様に例えば（図示しない）温度センサーと（図示しない）ミキシングバルブとで構成することが想定されるが、これに限るものではない。温度センサーおよびミキシングバルブの動作は上記説明したため、ここではその説明を省略する。分岐給水バルブ２２ａ乃至２２ｄを適切に操作することにより、所望の温度の混合水が外部に供給される。
【００３４】
温水貯水部１０における温水の温度が低い場合、混合部３３で上水と温水とを混合しても所望の温度の混合水を生成することができない可能性がある。このため、給湯器３０において熱交換器３６および混合部３８が設けられている。
【００３５】
なお、上記給湯器３０の説明において、例えば逆止弁等の下流から上流への逆流を防止する部材について触れていないが、上記構成の他に逆止弁等の下流から上流への逆流を防止する部材を給湯器３０内に適宜配することは当然本発明の範囲に含まれる。
【００３６】
図２は、本発明の実施の形態における給湯システム１００における排水部３４１の一例である排水弁４００を示す図である。排水弁４００は、給水圧力受け部４１０と、上水管路内圧力受け部４２０と、排水口４３０と、排水口開閉制御部４４０とを備える。
【００３７】
給水圧力受け部４１０は、給水圧力供与部３４２から給水圧力として圧力Ｐ１を受けるものである。給水圧力受け部４１０は、例えば管状部材４１１により構成され、管状部材４１１における端部の開口４１２において上水管路３２ａと接続される。また、管状部材４１１の他端は、後述するダイヤフラム４４３と接しており、ダイヤフラム４４３は管状部材４１１の他端を閉じている。そして、管状部材４１１とダイヤフラム４４３とで形成された空間が圧力Ｐ１を受けることになる。
【００３８】
上水管路内圧力受け部４２０は、上水管路内圧力供与部３４３から上水管路３２内の圧力Ｐ２を受けるものである。上水管路内圧力受け部４２０は、例えば管状部材４２１により構成され、管状部材４２１における端部の開口４２２において上水管路３２ｂと接続される。
【００３９】
排水口４３０は、上水管路３２へ逆流してきた温水または混合水を排水する排水口である。上水管路３２へ逆流してきた温水または混合水は、上水管路３２ｂを通じて上水管路内圧力受け部４２０へ誘導される。そして、後述の排水口開閉制御部４４０が、排水口４３０と上水管路内圧力受け部４２０とを連通させると、上水管路内圧力受け部４２０へ誘導された温水または混合水は、排水口４３０から外部へ排水される。
【００４０】
排水口開閉制御部４４０は、上水管路内圧力受け部４２０と排水口４３０との連通を制御するものであり、ピストン４４１と、弁体４４２と、ダイヤフラム４４３と、バネ部材４４４とを備える。ピストン４４１は、矢印Ｃ方向（管状部材４２１の軸方向）に移動することができるように配されている。そして、環状の弁体４４２は、ピストン４４１に嵌め込むことによって取り付けられている。
【００４１】
ダイヤフラム４４３は、ピストン４４１における端部に設けられた凸部にダイヤフラム４４３の凹部を嵌合させてピストン４４１の端部に取り付ける。そして、ダイヤフラム４４３の端部４４３ａおよび４４３ｂは、それぞれ給水圧力受け部４１０と排水口４３０、給水圧力受け部４１０と上水管路内圧力受け部４２０とにより挟持されている。バネ部材４４４は、一方の端部がピストン４４１の端部に取り付けられており、他方の端部が管状部材４２１の内部の所定の位置に取り付けられている。
【００４２】
次に、排水弁４００の動作について説明する。上水道２０から上水管路３２に上水が給水されると、上水管路３２ａより給水圧力受け部４１０に上水が供給される。ここで給水圧力受け部４１０が受ける圧力Ｐ１の大きさが所定圧力Ｐ´の大きさ以下の大きさの場合（Ｐ´＞Ｐ１）、上水管路内圧力受け部４２０にかかる圧力Ｐ２の大きさにかかわらず、バネ部材４４４がピストン４４１を矢印Ｄ方向へ押す力が圧力Ｐ１に打ち勝ってしまう。このため、ピストン４４１は矢印Ｄ方向へ移動し、それに伴い弁体４４２も矢印Ｄ方向に移動する。弁体４４２が矢印Ｄ方向へ移動すると、弁体４４２と排水口４３０の内壁との間に通路が形成される。これにより、排水口４３０と上水管路内圧力受け部４２０とは連通した状態になる。すなわち、排水口４３０が開いた状態になる。
【００４３】
なお、上記所定圧力Ｐ´は、バネ部材４４４における弾性力と、ダイヤフラム４４３の受圧面積により決定されるものである。以下において圧力Ｐ１の大きさと圧力Ｐ２の大きさとが同じ大きさの場合に、ちょうど弁体４４２と排水口４３０の内壁とを当接させるようにして、弁体４４２と排水口４３０の内壁との間の通路を遮断するように（排水口４３０が閉じた状態になるように）、バネ部材４４４の弾性力およびダイヤフラム４４３の受圧面積を設定したものとして説明する。
【００４４】
給水圧力受け部４１０が受ける圧力Ｐ１の大きさが所定圧力Ｐ´の大きさ以上の大きさの場合（Ｐ´≦Ｐ１）は、排水弁４００は以下のように動作する。上水管路３２において上水が給湯器３０内の上流から下流に流れている場合、圧力Ｐ１の大きさが圧力Ｐ２の大きさ以上の大きさであると言える（Ｐ１≧Ｐ２）。この場合、ピストン４４１は、矢印Ｃの上水管路内圧力受け部４２０に向かう方向へ移動させられる。ピストン４４１が矢印Ｃの上水管路内圧力受け部４２０に向かう方向へ移動すると、ピストン４４１に取り付けられた弁体４４２が排水口４３０の内壁と当接して上水管路内圧力受け部４２０と排水口４３０との通路を閉じることになる。これにより、排水口４３０は、閉じられた状態になる。
【００４５】
一方、上水管路３２内において負圧が発生して、温水または混合水等が逆流してきた場合、圧力Ｐ１の大きさは圧力Ｐ２の大きさ以下の大きさであると言える（Ｐ１＜Ｐ２）。この場合、まず圧力Ｐ１の低下をダイヤフラム４４３が感知して、ダイヤフラム４４３は矢印Ｄ方向に引っ張られ、管状部材４２１の内壁と当接する。それに伴い、ピストン４４１は、バネ部材４４４の付勢力によって矢印Ｃの上水管路内圧力受け部４２０から離れる方向へ移動させられる。ピストン４４１が矢印Ｃの上水管路内圧力受け部４２０から離れる方向へ移動すると、弁体４４２は排水口４３０の内壁から離れる。これにより、弁体４４２と排水口４３０の内壁との間に通路が形成され、排水口４３０と上水管路内圧力受け部４２０とは連通した状態になる。すなわち、排水口４３０が開いた状態になる。そして、上水管路内圧力受け部４２０から流れてきた温水または混合水等は、排水口４３０から外部に流される。
【００４６】
図３は、本発明の実施の形態における給湯システム１００における温水貯水部１０および逆流水排水部３４の一構成例を示す図である。温水貯水部１０は、上記説明したように温水を貯水するものであり、例えば温水タンク１２および縁切り排水管１３を備える。
【００４７】
温水タンク１２は、上端部が開放されたタンクであり、温水タンク１２の上端部付近に上水供給管２４が接続されている。温水タンク１２は、例えば家屋の屋根等太陽熱を十分に受けることができる位置に設置する方が好ましい。上水供給管２４を通じて上水道２０から供給された上水が温水タンク１２に貯水される。その貯水された上水は、太陽熱等により加熱されて温水となる。
【００４８】
縁切り排水管１３は、温水タンク１２と上水供給管２４とが接続されている位置よりも下の位置に設けられた排水管である。縁切り排水管１３は、温水タンク１２に貯水された温水の水位が縁切り排水管１３の高さを超えようとした場合にその分の温水を外部に排水する。したがって、温水タンク１２に貯水された温水の水位は、縁切り排水管１３以上にはならない。これにより、温水タンク１２を上水道２０と縁切りされた状態にすることができる。なお、温水タンク１２を上水道２０と縁切りされた状態にできれば、上記縁切り排水管１３を設ける構成以外の構成であってもよい。
【００４９】
給水圧力供与部３４２は、上記説明したように入り口付近領域における圧力Ｐ１を上水道２０からの給水圧力として排水部３４１に与えるものであり、上水管路３２の下流から上流への流れを阻止する逆止弁３４２ａおよび逆止弁３４２ｂと、減圧弁３４２ｃとを備える。すなわち、排水部３４１に与える圧力Ｐ１は、逆止弁３４２ａと逆止弁３４２ｂとの間の上水管路３２の圧力となる。
【００５０】
逆止弁３４２ａを設けずに、上水管路３２と上水供給管２１との接続部分と、逆止弁３４２ｂとの間の圧力を圧力Ｐ１として排水部３４１に与える構成も考えられるが、問題点があるため、逆止弁３４２ａを設ける構成の方が好ましい。
【００５１】
その問題点とは、分岐給水バルブ２２ａ乃至２２ｄのいずれかを操作して上水供給管２３を通じて上水を外部に供給した場合、給湯器３０に供給される上水の給水圧が低下してしまうことである。これは、低水圧地域（例えば、１５０ｋＰａ〜２００ｋＰａの水圧の地域）において、特に問題となる。分岐給水バルブ２２ａ乃至２２ｄのいずれかを操作して分岐給水を行い、その結果給湯器３０に供給される上水の給水圧が急激に低下してしまうと、排水部３４１に図２の排水弁４００を用いた場合、排水口４３０と上水管路内圧力受け部４２０とが連通してしまい、排水口４３０が開いた状態になる可能性がある。そうなると、上水道２０から供給された上水が、混合部３３に到達する前に排水口４３０より排水されてしまう。
【００５２】
逆止弁３４２ａを設けて、逆止弁３４２ａと逆止弁３４２ｂとの間の上水管路３２の圧力を圧力Ｐ１とすれば、給湯器３０に供給される上水の給水圧が変化してもその上記のような問題は起きない。このため、給水圧力供与部３４２において逆止弁３４２ａを設ける構成が好ましい。また、逆止弁３４２ａを設けることにより、上水管路３２における逆流防止機能を強化することもできる。
【００５３】
また、上記逆止弁３４２ａとして、バキュームブレーカ付き逆止弁を用いることが好ましい。バキュームブレーカ付き逆止弁は、上水管路内２１内が負圧になった場合、外部から空気を吸い込む機能が付いた逆止弁である。上記逆止弁３４２ａとして、バキュームブレーカ付き逆止弁を用いれば、上水管路内２１内が負圧になると外部から空気を吸い込むため、上記問題点で説明した給湯器３０に供給される上水の給水圧の圧力低下を回避することができる。また、上記逆止弁３４２ａとして、バキュームブレーカ付き逆止弁を用いれば、上水管路内２１内が負圧になると外部から空気を吸い込むため、上水管路内２１の下流から上流への逆流を防ぐことができる。
【００５４】
なお、逆止弁３４２ｂを水流抵抗を生じさせる他の水流抵抗部材に置き換えて、給水圧力供与部３４２を構成してもよい。このように構成しても、圧力Ｐ１と圧力Ｐ２とに圧力差を生じさせることができるからである。他の水流抵抗部材として、例えば定圧弁が挙げられるが、これに限るものではない。
【００５５】
減圧弁３４２ｃは、圧力を減圧するものである。図３のように逆止弁３４２ａと逆止弁３４２ｂとの間に減圧弁３４２ｃを設けると、圧力Ｐ１と圧力Ｐ２とに圧力差を生じさせることが容易となる。
【００５６】
上水管路内圧力供与部３４３は、上記説明したように入り口付近領域よりも下流に位置する上水管路３２内の所定の領域における圧力Ｐ２を上水管路３２内の圧力として排水部３４１に与えるものであり、上水管路３２の下流から上流への流れを阻止する逆止弁３４２ｂおよび３４３ａを備える。すなわち、排水部３４１に与える上水管路３２内の圧力は、逆止弁３４２ｂと、逆止弁３４３ａとの間の上水管路３２の圧力である。なお、上記給水圧力供与部３４２および上水管路内圧力供与部３４３の構成において逆止弁３４２ｂは、両方の構成を兼ねている。
【００５７】
なお、逆止弁３４２ｂを水流抵抗を生じさせる他の水流抵抗部材に置き換えた場合、水流抵抗を生じさせる他の水流抵抗部材および逆止弁３４３ａにより上水管路内圧力供与部３４３を構成してもよい。また、逆止弁３４２ｂを水流抵抗を生じさせる他の水流抵抗部材に置き換えた場合であっても、別途逆止弁を設けてその逆止弁および逆止弁３４３ａにより上水管路内圧力供与部３４３を構成してもよい。すなわち、逆止弁と水流抵抗を生じさせる他の水流抵抗部材との様々な組み合わせにより、給水圧力供与部３４２および上水管路内圧力供与部３４３を構成することができる。
【００５８】
給水圧力供与部３４２および上水管路内圧力供与部３４３を以上のような構成にすると、排水部３４１と伴に逆止弁を３つ設けることになるため、上水管路３２における逆流防止機能が強固なものになる。そして、逆止弁３４２ｂを水流抵抗を生じさせる他の水流抵抗部材に置き換えたとしても、排水部３４１と伴に逆止弁を２つ設けることになるため、上水管路３２における逆流防止機能が強固なものになる。
【００５９】
また、温水貯水部１０を図３に示すような構成にした場合、温水貯水部１０に貯水された温水は水道法上汚水とされる。このため、この温水または混合水が上水管路３２を逆流して上水道２０へ流れ込むことを防がないと水道法に抵触することになるが、逆流水排水部３４を、例えば図３に示すような構成にすれば、温水または混合水が上水道２０へ逆流することを確実に防ぐことができ、水道法上の問題を解決することができる
【００６０】
以上のように、本発明の実施の形態によれば、給湯器３０において温水貯水部１０からの温水供給および上水道２０からの上水供給を受け付けて給湯器３０内部に混合する機能（混合部３３）を設けても、上水管路３２に逆流してきた温水または混合水を逆流水排水部３４の機能により確実に温水または混合水を外部に排水することができる。
【００６１】
また、給水圧力供与部３４２および上水管路内圧力供与部３４３を設けることにより、上水道２０の給水圧が低下しても安定して排水部３４１を動作させることができる。さらに、給水圧力供与部３４２および上水管路内圧力供与部３４３を逆止弁により構成することにより、排水部３４１の動作を安定させるとともに、逆流防止機能を強固なものにすることができる。
【００６２】
なお、本発明の実施の形態は本発明を具現化するための一例を示したものであり、これに限定されるものではなく本発明の要旨を逸脱しない範囲において種々の変形を施すことができる。
【図面の簡単な説明】
【００６３】
【図１】本発明の実施の形態における給湯システム１００を示す図である。
【図２】本発明の実施の形態における給湯システム１００における排水部３４１の一例である排水弁４００を示す図である。
【図３】本発明の実施の形態における給湯システム１００における逆流水排水部３４の一構成例を示す図である。
【符号の説明】
【００６４】
１０  温水貯水部
１１  温水供給管
１２  温水タンク
１３  縁切り排水管
２０  上水道
２１、２３、２４  上水供給管
２２ａ、２２ｂ、２２ｃ、２２ｄ  分岐給水バルブ
３０  給湯器
３１  温水管路
３２、３２ａ、３２ｂ  上水管路
３３、３８  混合部
３４    逆流水排水部
３５ａ、３５ｂ  混合水管路
３６  熱交換器
３７  加熱水管路
３９  混合水供給管
１００  給湯システム
３４１  排水部
３４２  給水圧力供与部
３４２ａ、３４２ｂ、３４３ａ  逆止弁
３４２ｃ  減圧弁
３４３  上水管路内圧力供与部
３４３ａ  逆止弁
４００  排水弁
４１０  給水圧力受け部
４１１、４２１  管状部材
４１２、４２２  開口
４２０  上水管路内圧力受け部
４３０  排水口
４４０  排水口開閉制御部
４４１  ピストン
４４２  弁体
４４３  ダイヤフラム
４４４  バネ部材
【図１】
2010025379.tif 000003
【図２】
2010025379.tif 000004
【図３】
2010025379.tif 000005